(57)【要約】【課題】使用後の取扱利便性を向上する。【解決手段】第１フラップ１４に、その端縁との間に係止片２３を形成する切断部２２を設け、外周壁を対角に位置する一対の折曲線１３，１３に沿って折り曲げることにより側壁部１０Ａ，１０Ｂおよび端壁部１１Ａ，１１Ｂを重畳させた折畳状態とし、かつ、第１フラップ１４を連続した壁部１０Ａとの境界線（折曲線１５）を軸として折り曲げて壁部１０Ａと重畳させた状態で、切断部２２が、重畳した第２フラップ３２の打抜部３４ａを通して露出する第２フラップ３２と重畳した第３および第４フラップ３６，３９のうち、一方のフラップ３６上に位置する端部から他方のフラップ３９に向けて斜めに傾斜して延び、係止片２３が、第２フラップ３２の打抜部３４ａを通して第３フラップ３６の外面に係止可能である。【選択図】図５
2012020755.tif 000002
【特許請求の範囲】
【請求項１】
横幅が異なる側壁部および端壁部を各一対有する外周壁と、所定の前記側壁部および端壁部の上端縁に連設した天フラップからなる天蓋と、所定の前記側壁部および端壁部の下端縁に連設した底フラップからなる底蓋とを備え、
幅広の前記壁部に連設した前記天フラップおよび前記底フラップのうち、一方の第１フラップの上下方向の寸法を連続した前記壁部の上下方向の寸法より大きくするとともに、他方の第２フラップの側部に打抜部を設けた包装箱において、
前記第１フラップに、その端縁との間に係止片を形成する切断部を設け、
前記外周壁を対角に位置する一対の折曲線に沿って折り曲げることにより前記側壁部および端壁部を重畳させた折畳状態とし、かつ、前記第１フラップを連続した前記壁部との境界線を軸として折り曲げてその壁部と重畳させた状態で、
前記第１フラップの切断部が、前記第１フラップと重畳した前記第２フラップの打抜部を通して露出する前記第２フラップと重畳した第３および第４フラップのうち、一方のフラップ上に位置する端部から他方のフラップに向けて斜めに傾斜して延び、
前記第１フラップの係止片が、前記第２フラップの打抜部を通して前記第３および第４フラップのうち一方のフラップの外面に係止可能であることを特徴とする包装箱。
【請求項２】
前記第２フラップの打抜部の縁を、前記第１フラップの係止片が係止する前記第３または第４フラップから離れる方向に偏らせたことを特徴とする請求項１に記載の包装箱。
【発明の詳細な説明】
【技術分野】
【０００１】
本発明は、外周壁の全高より突出寸法が大きいフラップを有する包装箱に関するものである。
【背景技術】
【０００２】
包装箱は、横方向に交互に連続する各一対の側壁部および端壁部を備えている。これら側壁部および端壁部の所定の上下端縁には、天蓋を構成する天フラップおよび底蓋を構成する底フラップが連設されている。また、包装箱は、一端の側壁部と他端の端壁部とが、一方に連設した糊代部によって貼着されている。そして、未使用状態では、対角に位置する一対の折曲線に沿って折り曲げることにより、平坦な折畳状態とされている。
【０００３】
この包装箱は、収容する商品によって側壁部および端壁部からなる外周壁の全高や開口面積が設定される。特許文献１に記載の包装箱は、全高が低く開口面積が広くなるように構成されている。よって、この包装箱は、外周壁を構成する側壁部および端壁部の上下方向の寸法が、蓋を構成するフラップの上下方向の寸法より小さくなっている。また、包装箱の天蓋および底蓋は、収容する商品によって構成が決定される。特許文献１の包装箱は、商品を店頭にて包装する際に使用するもので、その底蓋および天蓋は、テープなどの固着具を使用することなく封緘可能な構造とされている。
【０００４】
しかしながら、この特許文献１のような包装箱は、外周壁の全高の寸法よりフラップの突出寸法が大きいため、廃棄する時に未使用状態と同様の折畳状態としても、大きく突出したフラップが邪魔になる。具体的には、未使用状態では、各フラップは折曲線に沿って折り曲げられていないため、紙の腰によってフラップが揺動することはなく、邪魔になることはない。しかし、使用後に折り畳むと紙の腰が弱くなっているため、フラップが折曲線を軸として揺動する。その結果、搬送する際に意図しない方向に撓んだフラップが周囲に干渉して邪魔になる。また、包装箱の天蓋は、１面の天フラップで開口全面を閉塞するものがある。この場合、１面の天フラップだけが大きく突出するため、紐による結束も困難であるうえ、保管するにしても広い占有面積が必要になるため更に邪魔になる。
【０００５】
なお、使用後の取り扱いの利便性を向上できるようにした包装箱が、特許文献２に記載されている。この特許文献２の包装箱は、各側壁部および端壁部に連設した矩形状のフラップのうち、側壁部に連設した第１フラップに、折畳状態で重畳する第２フラップ上から隣接する第３フラップに向けて傾斜して延びる切断部を設けている。そして、第１フラップの先端縁と切断部との間に形成される係止片を、第２フラップの重畳面と反対側の外面に係止することにより、平たく折り畳んだ状態を維持できるようにしている。
【０００６】
しかし、特許文献２の包装箱は、各壁部から矩形状をなすフラップを突設した汎用構造のものであるため、特許文献１の包装箱のように、フラップの側部に打抜部を形成した複雑な側縁形状のものには利用できない。しかも、大きく突出したフラップへの適用は不可能である。
【先行技術文献】
【特許文献】
【０００７】
【特許文献１】実開昭５９−１９３１２０号公報
【特許文献２】特許第３５８１１２７号公報
【発明の概要】
【発明が解決しようとする課題】
【０００８】
本発明は、使用後の取扱利便性を向上できる包装箱を提供することを課題とするものである。
【課題を解決するための手段】
【０００９】
前記課題を解決するため、本発明の包装箱は、横幅が異なる側壁部および端壁部を各一対有する外周壁と、所定の前記側壁部および端壁部の上端縁に連設した天フラップからなる天蓋と、所定の前記側壁部および端壁部の下端縁に連設した底フラップからなる底蓋とを備え、幅広の前記壁部に連設した前記天フラップおよび前記底フラップのうち、一方の第１フラップの上下方向の寸法を連続した前記壁部の上下方向の寸法より大きくするとともに、他方の第２フラップの側部に打抜部を設けた包装箱において、前記第１フラップに、その端縁との間に係止片を形成する切断部を設け、前記外周壁を対角に位置する一対の折曲線に沿って折り曲げることにより前記側壁部および端壁部を重畳させた折畳状態とし、かつ、前記第１フラップを連続した前記壁部との境界線を軸として折り曲げてその壁部と重畳させた状態で、前記第１フラップの切断部が、前記第１フラップと重畳した前記第２フラップの打抜部を通して露出する前記第２フラップと重畳した第３および第４フラップのうち、一方のフラップ上に位置する端部から他方のフラップに向けて斜めに傾斜して延び、前記第１フラップの係止片が、前記第２フラップの打抜部を通して前記第３および第４フラップのうち一方のフラップの外面に係止可能な構成としている。
【００１０】
例えば、第１フラップは、一方の側壁部に連設した第１天フラップであり、第２フラップは、一方の側壁部に連設した第１底フラップであり、第３フラップは、他方の側壁部に連設した第２底フラップであり、第４フラップは、一方の側壁部に折畳状態で重畳する端壁部に連設した第３底フラップである。
また「一方のフラップ上に位置する端部から他方のフラップに向けて斜めに傾斜して延び」とは、切断部が第１フラップの端縁から延びる構成、および、切断部が第１フラップの端縁から所定間隔をもった位置から延びる構成の両方を含む。さらに、端縁とは、先端縁および側端縁の両方を含む。
【００１１】
この包装箱では、前記第２フラップの打抜部の縁を、前記第１フラップの係止片が係止する前記第３または第４フラップから離れる方向に偏らせることが好ましい。
【発明の効果】
【００１２】
本発明の包装箱では、壁部の上下方向の寸法（全高）より上下方向の寸法（突出寸法）が大きい第１フラップに切断部を設け、第１フラップの端縁と切断部との間に形成された係止片を第２フラップの打抜部を通して第３または第４フラップの外面に係止可能としている。そのため、この係止状態では、第１フラップが折畳状態の外周壁から突出することはない。よって、紐による結束を簡単に行うことができる。また、保管時の占有面積を削減できるうえ、搬送時に第１フラップが周囲に干渉して邪魔になることを防止できる。さらに、第１フラップの係止片は、重畳する第２フラップに更に重畳する第３または第４フラップの外面に係止されるため、これらを側壁部および端壁部を含めて平坦な３層の重畳状態に保持できる。よって、紙の腰によって各壁面が浮き上がって嵩張ることを防止できる。
【００１３】
また、第２フラップの打抜部の縁を、第１フラップの係止片が係止する第３または第４フラップから離れる方向に偏らせているため、第３および第４フラップの側縁の露出面積を大きくすることができる。よって、第１フラップの係止片の係止作業性を向上できるうえ、製函に誤差が生じても確実に係止を実現できる。
【図面の簡単な説明】
【００１４】
【図１】本発明の第１実施形態の包装箱の未使用状態を示す斜視図である。
【図２】第１実施形態の包装箱の使用状態を示す斜視図である。
【図３】第１実施形態の包装箱の封緘状態を示す斜視図である。
【図４】第１実施形態の包装箱の使用後の折畳状態を示す斜視図である。
【図５】図４の包装箱を逆側から見た斜視図である。
【図６】第１実施形態の包装箱のブランクを示す平面図である。
【図７】第１実施形態の包装箱の未使用状態を示す平面図である。
【図８】第２実施形態の包装箱の未使用状態を示す斜視図である。
【図９】第２実施形態の包装箱の使用状態を示す斜視図である。
【図１０】第２実施形態の包装箱の封緘状態を示す斜視図である。
【図１１】第２実施形態の包装箱の使用後の折畳状態を示す斜視図である。
【図１２】図１１の包装箱を逆側から見た斜視図である。
【図１３】第２実施形態の包装箱のブランクを示す平面図である。
【図１４】変形例の包装箱のブランクを示す平面図である。
【発明を実施するための形態】
【００１５】
以下、本発明の実施の形態を図面に従って説明する。
【００１６】
図１乃至図７は、本発明の第１実施形態に係る包装箱を示す。この包装箱は、外周壁の全高より突出寸法が大きい第１天フラップ１４を有し、使用後に過剰な突出部分を生じさせることなく、平坦な折畳状態とすることを可能としたものである。
【００１７】
この包装箱は、表ライナおよび裏ライナの間に波状の中しんを配設した周知の段ボール紙を、周知の紙器打抜装置（図示せず）によって図６に示す連続した一枚のブランクとして打ち抜き、所定部位を糊付けにより貼着して成形される。
【００１８】
包装箱のブランクは、図６に示すように、外周壁を構成する各一対の側壁部１０Ａ，１０Ｂおよび端壁部１１Ａ，１１Ｂを備えている。これらは、横方向に交互かつ直線的に連続するように設けられている。これら側壁部１０Ａ，１０Ｂおよび端壁部１１Ａ，１１Ｂは横幅が異なり、側壁部１０Ａ，１０Ｂの横幅が端壁部１１Ａ，１１Ｂの横幅より広い。これらのうち、左側端部に位置する側壁部１０Ａの側縁には、右側端部に位置する端壁部１１Ｂに貼着するための糊代部１２が連設されている。そして、側壁部１０Ａと端壁部１１Ａの境界部分、端壁部１１Ａと側壁部１０Ｂの境界部分、側壁部１０Ｂと端壁部１１Ｂの境界部分、および、糊代部１２と側壁部１０Ａの境界部分には、それぞれ肉厚を圧縮するように罫を入れて形成した折曲線１３が縦方向に延びるように設けられている。
【００１９】
側壁部１０Ａおよび端壁部１１Ａ，１１Ｂの上端縁には、開閉可能な天蓋を構成する第１〜第３天フラップ１４，２４，２５が連設され、側壁部１０Ｂの上端縁には、第１天フラップ１４を封緘状態にロックするロック片２７が連設されている。また、側壁部１０Ａ，１０Ｂおよび端壁部１１Ａ，１１Ｂの下端縁には、使用状態では常に閉塞される底蓋を構成する第１〜第４底フラップ３２，３６，３９，４０が連設されている。
【００２０】
第１天フラップ１４は、横幅が広い側壁部１０Ａに連設した第１フラップである。この第１天フラップ１４と側壁部１０Ａとの境界部分には、折曲線１３と同様の折曲線１５が横方向に延びるように設けられている。本実施形態の第１天フラップ１４は、外周壁の上端開口を閉塞する蓋本体部１６と、使用（組立）状態で対向する側壁部１０Ｂの内面側に差し込まれる差込部１７とを備える。蓋本体部１６の先端中央には、差込部１７にかけて略Ｕ字形状に延びるミシン目状切断線１８が設けられている。差込部１７には、ミシン目状切断線１８の一対の端部を連続するように切断線からなるロック溝１９が設けられている。そして、ミシン目状切断線１８とロック溝１９とで囲まれた内部は、第１天フラップ１４から分離可能な分離部２０となっている。また、分離部２０の形成領域を除く蓋本体部１６と差込部１７との境界部分には、横方向に延びるように折曲線２１が設けられている。この折曲線２１とロック溝１９とは、段ボール紙の肉厚に相当する間隔が空けられている。
【００２１】
この第１天フラップ１４は、上下方向の寸法（突出寸法）Ｓ１が、側壁部１０Ａの上下方向の寸法（全高）Ｓ２より大きい。そして、側壁部１０Ａに重畳するように折曲線１５を軸として１８０度折り返すと、第１天フラップ１４の先端縁である差込部１７が、第１底フラップ３２の先端縁近傍に位置する寸法で形成されている。また、第１天フラップ１４には、先端縁近傍から折曲線２１にかけて、連続する側壁部１０Ａに向けて斜めに傾斜して延びる切断部２２が設けられている。この切断部２２は、第１天フラップ１４の先端縁である差込部１７の先端縁との間に所定間隔の連続部（非切断部）が形成されるように設けられている。また、切断部２２は、第１天フラップ１４を１８０度折り曲げた折畳状態で、重畳する第１底フラップ３２に更に重畳する第２底フラップ３６上に位置するように設けられている。具体的には、図７に示すように、切断部２２の先端は、第２底フラップ３６上に位置する。また、折曲線２１上に位置する切断部２２の末端は、第２底フラップ３６の側縁に位置するように、隣接する第３底フラップ３９に向けて傾斜して設けられている。これにより、第１天フラップ１４には、その先端縁と切断部２２との間に、図６中薄墨を付して表した三角形状をなす係止片２３が形成されている。
【００２２】
図６に示すように、第２天フラップ２４および第３天フラップ２５は、横幅が狭い端壁部１１Ａ，１１Ｂに連設した内フラップである。これら第２および第３天フラップ２４，２５と端壁部１１Ａ，１１Ｂとの境界部分には、横方向に延びるように折曲線２６が設けられている。第２および第３天フラップ２４，２５は、封緘状態で第１天フラップ１４の内面側に位置される。第１天フラップ１４の側に位置する側縁は、第１天フラップ１４の内縁に沿うように、縦方向に延びる直線状をなす。また、側壁部１０Ｂの側に位置する側縁は、側壁部１０Ｂの上端縁との間に所定の隙間が形成されるように、上向きに傾斜した形状をなす。
【００２３】
ロック片２７は、第１天フラップ１４と対向する側壁部１０Ｂに連設されている。このロック片２７は、側壁部１０Ｂから略Ｔ字形状をなすように突出したもので、側壁部１０Ｂとの境界部分には、横方向に延びるように折曲線２８が設けられている。この折曲線２８の両端には、縦方向下向きに延びる一対の切断線２９，２９が設けられている。これら切断線２９，２９の下端間には、横方向に延びるように折曲線３０が設けられている。これら折曲線２８、切断線２９，２９および折曲線３０で囲まれた内部は、ロック片２７を外向きに変位させるための可動片３１を構成する。
【００２４】
第１底フラップ３２は、側壁部１０Ａに対して第１天フラップ１４と反対側に連設した第２フラップである。この第１底フラップ３２と側壁部１０Ａとの境界部分には、横方向に延びるように折曲線３３が設けられている。第１底フラップ３２は、両側部に図６中薄墨を付して表した略直角台形状の打抜部３４ａ，３４ｂを設けることにより、略台形状をなす本体の先端縁に矩形状をなす係止部３５を突設したものである。両側の打抜部３４ａ，３４ｂのうち、切断部２２と同一側に位置する打抜部３４ａは、折畳状態で第１底フラップ３２に重畳する第２および第３底フラップ３６，３９の境界部分を露出させる役割をなす。そして、第１天フラップ１４を１８０度折り曲げることにより、打抜部３４ａを通して係止片２３を第２底フラップ３６に係止できるように構成している。また、打抜部３４ａは、第２および第３底フラップ３６，３９の露出面積を増大するために、打抜部３４ｂより打抜面積が大きくなるようにしている。即ち、打抜部３４ａを形成することによる第１底フラップ３２の図６中左側縁は、折畳状態で係止片２３を係止させる第２底フラップ３６から離れる方向（図６中右向き）に偏って位置するように構成している。
【００２５】
第２底フラップ３６は、側壁部１０Ｂに連続し、折畳状態で第１底フラップ３２に重畳する第３フラップである。この第２底フラップ３６と側壁部１０Ｂの境界部分には、横方向に延びるように折曲線３７が設けられている。第２底フラップ３６は、両側縁が縦方向に延びる矩形状に形成されている。また、第２底フラップ３６は、図６中左側が、第１底フラップ３２の打抜部３４ａを通して、第１底フラップ３２の側から見て露出する。第２底フラップ３６の先端縁略中央には、組立状態で第１底フラップ３２の係止部３５に対応する矩形状の挿通溝３８が設けられている。この挿通溝３８は、横方向に延びる側壁部１０Ｂの側の縁が、組立状態で第１底フラップ３２の係止部３５の根元部分に位置するように設けられている。
【００２６】
第３底フラップ３９および第４底フラップ４０は、端壁部１１Ａ，１１Ｂに連続した内フラップである。これら第３および第４底フラップ３９，４０と端壁部１１Ａ，１１Ｂとの境界部分には、横方向に延びるように折曲線４１が設けられている。これら第３および第４底フラップ３９，４０は、組立状態で第１および第２底フラップ３２，３６と隣接する。そして、第３および第４底フラップ３９，４０には、第２底フラップ３６の側から前記挿通溝３８の端部に向けて傾斜して延びる傾斜縁４２ａが形成されるように、図６中薄墨を付して表した直角台形状の打抜部４２が設けられている。なお、傾斜縁４２ａと逆側に位置する第３および第４底フラップ３９，４０の側縁は、第１底フラップ３２の内縁に沿うように縦方向に延びる直線状に形成されている。第３および第４底フラップ３９，４０のうち、第３底フラップ３９は、折畳状態で第１底フラップ３２に重畳する第４フラップである。この第３底フラップ３９は、折畳状態で図６中右側が第１底フラップ３２の打抜部３４ａを通して、第１底フラップ３２の側から見て露出する。但し、本実施形態では第３底フラップ３９の右側部に打抜部４２を設けているため、図７に示すように、打抜部３４ａを通して第３底フラップ３９が露出することはない。
【００２７】
この包装箱のブランクは、糊代部１２に酢酸ビニルエマルジョン系の接着剤などを塗布した状態で、端壁部１１Ａに対して側壁部１０Ａを折り曲げるとともに、側壁部１０Ｂに対して端壁部１１Ｂを折り曲げる。そして、重畳した端壁部１１Ｂの端部と糊代部１２をプレスすることにより接着する。図１および図７に示すこの折畳状態で、所定の商品の販売店などに出荷される。
【００２８】
ここで、この未使用状態の包装箱は、外周壁を構成する糊代部１２を含む側壁部１０Ａ，１０Ｂおよび端壁部１１Ａ，１１Ｂの境界に設けた４本の折曲線１３のうち、対角に位置する一対の折曲線１３，１３だけしか折り曲げられていない。よって、大きく突出した第１天フラップ１４は、段ボール紙の腰によって、側壁部１０Ａに対して揺動することはない。そのため、未使用状態の第１天フラップ１４は、保管時に大きな占有面積を必要とするが、搬送時に意図しない方向に撓むことはなく、邪魔になることはない。
【００２９】
この包装箱を使用する際には、まず、未だ折り曲げられていない折曲線１３，１３に沿って隣接する側壁部１０Ａ，１０Ｂと端壁部１１Ａ，１１Ｂを折り曲げ、平面視矩形状をなすように広げる。その後、側壁部１０Ｂに対して第２底フラップ３６を内向きに折り曲げ、ついで、端壁部１１Ａ，１１Ｂに対して第３および第４底フラップ３９，４０を内向きに折り曲げ、ついで、側壁部１０Ａに対して第１底フラップ３２を内向きに折り曲げる。最後に、第１底フラップ３２を内向きに更に押圧することにより、先端の係止部３５を第２底フラップ３６の挿通溝３８を通して乗り越えさせ、係止部３５を第２底フラップ３６の内面に係止して封緘する。
【００３０】
ついで、図２に示すように、第１〜第３天フラップ１４，２４，２５を大きく広げた状態で、内部に所定の商品を収容させる。その後、第２および第３天フラップ２４，２５を内向きに折り曲げ、ついで、第１天フラップ１４を内向きに折り曲げるとともに、先端の差込部１７を蓋本体部１６に対して折り曲げる。そして、可動片３１を利用してロック片２７を外向きに折り曲げた状態で、差込部１７を対向する側壁部１０Ｂの内側に差し込み、ロック片２７をロック溝１９に差し込む。これにより、図３に示すように、人が手を加えなければ第１天フラップ１４が開放することのない封緘状態とすることができる。
【００３１】
商品の購入者が包装箱を開封する場合には、差込部１７の折り曲げによって露出した分離部２０の縁に指を当て、分離部２０を上向きに引き上げる。これにより、ミシン目状切断線１８に沿って第１天フラップ１４から分離部２０を分離する。ついで、分離により露出したロック片２７に指を当て、ロック片２７を外向きに移動させ、第１天フラップ１４のロックを解除する。その後、露出した第１天フラップ１４の差込部１７に指を当て、上向きに移動させることにより第１天フラップ１４を開放し、収容した商品を取り出す。
【００３２】
商品を取り出すことにより不要になった包装箱は、一時的に保管するための占有容積を削減するために、図１に示す未使用状態のように折り畳まれる。この状態では、やはり第１天フラップ１４が大きく突出した状態をなす。しかも、未使用状態を比較すると、第１天フラップ１４を折曲線１５に沿って折り曲げているため、段ボール紙の腰が弱くなっている。その結果、第１天フラップ１４が折曲線１３に対して揺動し、搬送時に意図しない方向に撓んで邪魔になることがある。また、占有容積は削減できるが、第１天フラップ１４が大きく突出している分、保管時の占有面積は大きい。
【００３３】
しかし、本実施形態では、大きく突出する第１天フラップ１４に、逆側に位置する第１底フラップ３２の打抜部３４ａを通して第１底フラップ３２に重畳する第２底フラップ３６に係止する係止片２３を設けているため、平たくコンパクトに折り畳んだ状態にすることができる。
【００３４】
具体的には、まず、側壁部１０Ａと端壁部１１Ａおよび側壁部１０Ｂと端壁部１１Ｂが重畳するように、これらの間に位置する一対の折曲線１３，１３に沿って折り畳む。そして、第１天フラップ１４を側壁部１０Ａに対して１８０度折り曲げて、第１天フラップ１４を側壁部１０Ａと第１底フラップ３２に重畳させる。その後、第１天フラップ１４の先端縁と切断部２２の先端との間の連続部を破断し、三角形状の係止片２３を第２底フラップ３６の側に向けて押圧する。これにより、図４および図５に示すように、第１底フラップ３２の打抜部３４ａを通して第２底フラップ３６の外面に、第１天フラップ１４の係止片２３を係止する。
【００３５】
この際、本実施形態では、第１底フラップ３２の打抜部３４ａの縁を、第１天フラップ１４の係止片２３が係止する第２底フラップ３６から離れる方向に偏らせているため、第２底フラップ３６の側部の露出面積が大きい。よって、第１天フラップ１４の係止片２３の係止作業性を向上できる。しかも、糊代部１２の貼着位置が許容範囲内で位置ズレするなど、製函に若干の誤差が生じても確実に係止を実現できる。
【００３６】
この折畳（係止）状態の包装箱は、図示のように、第１天フラップ１４が側壁部１０Ａから大きく突出することはなく、略矩形状の外形となる。しかも、側壁部１０Ａ，１０Ｂおよび端壁部１１Ａ，１１Ｂを含めて平坦な３層の重畳状態になる。よって、紙の腰によって各側壁１０Ａ，１０Ｂや端壁１１Ａ，１１Ｂが浮き上がって嵩張ることを防止できる。また、紐による結束を簡単に行うことができる。その結果、保管時の占有面積を削減できるうえ、搬送時に第１天フラップ１４が周囲に干渉して邪魔になることを防止できる。
【００３７】
また、係止片２３を形成するための切断部２２は、第１天フラップ１４において内部に差し込まれる差込部１７に設けている。そして、その差込部１７は、封緘状態の包装箱の剛性には殆ど影響はない。よって、切断部２２を設けることによる包装箱の剛性低下を防止できる。
【００３８】
図８乃至図１３は第２実施形態の包装箱を示す。この第２実施形態では、天蓋の構成のみが第１実施形態と相違している。第２実施形態の天蓋は、側壁部１０Ａ，１０Ｂおよび端壁部１１Ａ，１１Ｂの上端縁に連設した第１〜第４天フラップ４５，５１，５５，５６からなる。
【００３９】
図１３に示すように、第１天フラップ４５は、横幅が広い側壁部１０Ａに連設した第１フラップである。この第１天フラップ４５と側壁部１０Ａとの境界部分には、横方向に延びるように折曲線４６が設けられている。この第１天フラップ４５は、上下方向の寸法（突出寸法）が、側壁部１０Ａの上下方向の寸法（全高）より大きい。そして、側壁部１０Ａに重畳するように１８０度折り返すと、第１天フラップ４５の先端縁が、第１底フラップ３２の先端縁近傍に位置する。また、封緘状態では、第１天フラップ４５の先端縁が、対向する側壁部１０Ｂの近傍に位置する寸法で形成されている。
【００４０】
第１天フラップ４５には、先端両側を略矩形状に打ち抜いて面取りしており、その打抜部分に隣接するように一対のロック片４７，４７が設けられている。このロック片４７は、第１天フラップ４５の先端縁近傍から連続する側壁部１０Ａに向けて斜めに傾斜して延びる切断部４８を備えている。この切断部４８は、第１天フラップ４５の先端縁との間に所定間隔の連続部（非切断部）が形成されるように設けられている。また、切断部４８は、第１天フラップ４５を１８０度折り曲げた折畳状態で、先端が第２底フラップ３６上に位置し、末端が第２底フラップ３６の側縁に位置するように、隣接する第３底フラップ３９に向けて傾斜して設けられている。また、ロック片４７は、切断部４８の末端から横向きに延びるように折曲線４９が設けられている。各ロック片４７，４７の間に位置する第１天フラップ４５の先端部には、先端縁と切断部４８との間に三角形状をなす係止片５０が形成される。
【００４１】
第２天フラップ５１は、側壁部１０Ｂに連続し、封緘状態で第１天フラップ４５の内側に位置する内蓋フラップである。この第２天フラップ５１と側壁部１０Ｂとの境界部分には、横方向に延びるように折曲線５２が設けられている。第２天フラップ５１は、第１天フラップ４５と同一の突出寸法である。また、第２天フラップ５１は、封緘状態で第１天フラップ４５の内縁、および、第３および第４天フラップ５５，５６の内縁に沿うように矩形状に形成されている。この第２天フラップ５１には、第１天フラップ４５のロック片４７，４７が挿入係止される長円形状のロック穴５３，５３が設けられている。また、ロック穴５３の外側端部には、破断を防止するためのスリット５４が設けられている。
【００４２】
第３天フラップ５５および第４天フラップ５６は、端壁部１１Ａ，１１Ｂに連設した内フラップである。これら第３および第４天フラップ５５，５６と端壁部１１Ａ，１１Ｂとの境界部分には、横方向に延びるように折曲線５７が設けられている。第３および第４天フラップ５５，５６は、封緘状態で第２天フラップ５１の内面側に位置される。第１天フラップ４５の側に位置する側縁は、第１天フラップ４５の内縁に沿うように縦方向に延びる直線状をなす。また、側壁部１０Ｂの側に位置する隅部には、略矩形状に打ち抜いた面取部５８が設けられている。この面取部５８は、ロック穴５３の内側を塞がないためのものである。
【００４３】
この第２実施形態の包装箱は、図８に示すように、第１実施形態と同様に製函されて、所定の商品の販売店などに出荷される。また、この包装箱を使用する際には、図９に示すように、第１実施形態と同様に、側壁部１０Ａ，１０Ｂおよび端壁部１１Ａ，１１Ｂを矩形状に広げた後、第１〜第４底フラップ３２，３６，３９，４０により底を閉塞して、内部に商品を収容する。
【００４４】
そして、封緘する際には、第３および第４天フラップ５５，５６を内向きに折り曲げ、第２天フラップ５１を内向きに折り曲げた後、第１天フラップ４５を内向きに折り曲げる。その際、第１天フラップ４５の先端縁と切断部４８の先端との間の連続部を破断し、折曲線４９に沿ってロック片４７を下向きに折り曲げる。そして、図１０に示すように、このロック片４７を下側に位置するロック穴５３に差し込んで、第１天フラップ４５を第２天フラップ５１にロックする。
【００４５】
不要になった包装箱を一時的に保管するために折り畳む場合には、図８に示す未使用状態のように折り畳んだ後、大きく突出した第１および第２天フラップ４５，５１を１８０度折り曲げ、側壁部１０Ａ，１０Ｂおよび第１および第２底フラップ３２，３６に重畳させる。その後、ロック片４７を設けるための切断部４８によって形成された三角形状の係止片５０を、第２底フラップ３６の側に向けて押圧する。これにより、図１１および図１２に示すように、第１底フラップ３２の打抜部３４ａを通して第２天フラップ５１の外面に、第１天フラップ４５の係止片５０を係止する。即ち、本実施形態では、第２天フラップ５１を介して第２底フラップ３６の外面側に、第１天フラップ４５の係止片５０を係止する。
【００４６】
この第２実施形態の包装箱は、第１実施形態と同様の作用および効果を得ることができる。しかも、第２実施形態では、ロック片４７を形成するための切断部４８を、係止片５０を形成するためのものと兼用している。よって、包装箱の剛性が低下することを防止できるうえ、通常の封緘では使用しない切断部の存在による違和感を与えることがない。
【００４７】
なお、本発明の包装箱は、前記実施形態の構成に限定されるものではなく、種々の変更が可能である。
【００４８】
例えば、第２フラップである打抜部３４ａを形成する第１底フラップ３２を有する底蓋は、前記実施形態の封緘構造のものに限定されるものではない。具体的には、図１４に示すように、第１および第２底フラップ３２，３６は打抜部３４ａ，３４ｂを設けた略台形状をなし、その先端両側に一対のロック片６０，６０を設けたものとする。また、第３および第４底フラップ３９，４０は、ロック片６０，６０を挿入係止可能なＶ字形状のロック穴６１を設けた構成とする。さらに、この場合には、切断部２２，４８の傾斜方向を逆向きとし、打抜部３４ａを通して第１底フラップ３２と重畳する第３底フラップ３９に第１天フラップ１４，４５の係止片２３，５０が係止する構成とする。
【００４９】
また、前記実施形態では、第１フラップは、天蓋を構成する第１天フラップ１４，４５により構成したが、底蓋を構成する第１底フラップ３２により構成してもよい。さらに、係止片２３を形成する切断部２２は、第１フラップの先端縁に設ける構成に限られず、側端縁に設ける構成としてもよい。即ち、本発明は、横幅が広い側壁部１０Ａ，１０Ｂに連設した天フラップおよび底フラップのうち、一方を外周壁の全高より突出寸法を長くして端部に係止部２３，５０を形成する切断部２２，４８を傾斜させて設け、他方に打抜部３４ａを設ける構成とすればよい。
【００５０】
さらに、前記実施形態では、包装箱の外周壁を各一対の側壁部１０Ａ，１０Ｂと端壁部１１Ａ，１１Ｂとからなる平面視矩形状のものとしたが、各側壁部１０Ａ，１０Ｂと端壁部１１Ａ，１１Ｂとの間に面取部を設けた平面視八角形状のものであっても、同様に適用できる。
【符号の説明】
【００５１】
１０Ａ，１０Ｂ…側壁部（外周壁）
１１Ａ，１１Ｂ…端壁部（外周壁）
１３…折曲線
１４…第１天フラップ（第１フラップ）
１５…折曲線（境界線）
２２…切断部
２３…係止片
２４…第２天フラップ
２５…第３天フラップ
３２…第１底フラップ（第２フラップ）
３４ａ，３４ｂ…打抜部
３６…第２底フラップ（第３フラップ）
３９…第３底フラップ（第４フラップ）
４０…第４底フラップ
【図１】
2012020755.tif 000003
【図２】
2012020755.tif 000004
【図３】
2012020755.tif 000005
【図４】
2012020755.tif 000006
【図５】
2012020755.tif 000007
【図６】
2012020755.tif 000008
【図７】
2012020755.tif 000009
【図８】
2012020755.tif 000010
【図９】
2012020755.tif 000011
【図１０】
2012020755.tif 000012
【図１１】
2012020755.tif 000013
【図１２】
2012020755.tif 000014
【図１３】
2012020755.tif 000015
【図１４】
2012020755.tif 000016